(57)【要約】【課題】全体の体積を減らして持ち運びが便利なカップスリーブを提供する。【解決手段】カップスリーブは、第１のカバーシート１と、第２のカバーシート２と、リングスリーブ３と、リングスリーブ３と結合された少なくとも１つの持ち運び紐３１とを備える。第１のカバーシート１及び第２のカバーシート２は、可撓性材料からなる。第１のカバーシート１は、第１の外側面１１及び第１の内側面１２を有する。第２のカバーシート２は、第２の外側面２１及び第２の内側面２２を有する。リングスリーブ３は、第１の内側面１２上に結合され、第１のカバーシート１と第２のカバーシート２とは線ファスナー４により結合され、第１の内側面１２と第２の内側面２２とを対向させてリングスリーブ３及び持ち運び紐３１を収容する第１の収容室１３を形成する。【選択図】図１
0003218759.tif 000002
【実用新案登録請求の範囲】
【請求項１】
第１のカバーシートと、第２のカバーシートと、リングスリーブと、前記リングスリーブと結合された少なくとも１つの持ち運び紐と、を備えたカップスリーブであって、
前記第１のカバーシート及び前記第２のカバーシートは、可撓性材料からなり、前記第１のカバーシートは、第１の外側面及び第１の内側面を有し、前記第２のカバーシートは、第２の外側面及び第２の内側面を有し、前記リングスリーブは、前記第１の内側面上に結合され、前記第１のカバーシートと前記第２のカバーシートとは線ファスナーにより結合され、前記第１の内側面と前記第２の内側面とを対向させて前記リングスリーブ及び前記持ち運び紐を収容する第１の収容室を形成するか、前記第１のカバーシート及び前記第２のカバーシートを折返し、前記第１の外側面と前記第２の外側面とを対向させて物品を収容する第２の収容室を形成して前記リングスリーブと前記持ち運び紐とが露出されることを特徴とするカップスリーブ。
【請求項２】
前記持ち運び紐には、ストロースリーブが設けられ、
前記リングスリーブ及び前記ストロースリーブは、弾性材料からなり、
前記ストロースリーブ内には、前記ストローに外嵌する保護スリーブが設けられることを特徴とする請求項１に記載のカップスリーブ。
【請求項３】
前記リングスリーブには、前記第１のカバーシートに対向する一側に、コースターが着脱可能に設けられ、
前記コースターは、前記リングスリーブ及び前記持ち運び紐と一緒に前記第１の収容室内に収容されるとともに、前記リングスリーブ上に磁力吸着方式又は粘着方式で設置されることを特徴とする請求項１に記載のカップスリーブ。
【考案の詳細な説明】
【技術分野】
【０００１】
本考案は、カップスリーブに関し、特に、飲料カップを重ねて収容することができるカップスリーブに関する。
【背景技術】
【０００２】
現代人がコーヒー及びお茶を好んで飲むことはすでに目新しいものではなく広く普及しており、近年、道沿いなどでは多くの飲料店が営業し、飲料店は、消費者が手で持ち運びやすいように、飲料カップをビニール袋に入れて渡すことが一般的であった。しかし、近年政府が呼び掛けているプラスチックの減量化と、環境保護に対する意識の高まりに呼応し、各飲料店はビニール袋を自発的に消費者に提供しなくなっており、消費者はエコバックを別途購入したり、消費者がエコバックを既に有する場合、再び購入する必要がないように、飲料などを購入する際に消費者自らエコバックを持参したりすることが一般的となっている。
【考案の概要】
【考案が解決しようとする課題】
【０００３】
本考案の主な目的は、完全に閉止された第１の収容室及び第２の収容室を有し、第１の収容室には、リングスリーブ及び持ち運び紐が露出しないように収容され、第２の収容室には、第２の収容室の外側へ落下しないように物品を収容し、ユーザが飲料カップをリングスリーブ内に嵌め込んで持ち運ぶことができる上、物品を第２の収容室内に入れて置くことができるため、使用していないときにユーザは、リングスリーブ及び持ち運び紐を折畳んで第１の収容室内に収容することができるため、全体の体積を減らして持ち運びが便利なカップスリーブを提供することにある。
【課題を解決するための手段】
【０００４】
上記課題を解決するために、本考案の第１の形態によれば、第１のカバーシートと、第２のカバーシートと、リングスリーブと、前記リングスリーブと結合された少なくとも１つの持ち運び紐と、を備えたカップスリーブであって、前記第１のカバーシート及び前記第２のカバーシートは、可撓性材料からなり、前記第１のカバーシートは、第１の外側面及び第１の内側面を有し、前記第２のカバーシートは、第２の外側面及び第２の内側面を有し、前記リングスリーブは、前記第１の内側面上に結合され、前記第１のカバーシートと前記第２のカバーシートとは線ファスナーにより結合され、前記第１の内側面と前記第２の内側面とを対向させて前記リングスリーブ及び前記持ち運び紐を収容する第１の収容室を形成するか、前記第１のカバーシート及び前記第２のカバーシートを折返し、前記第１の外側面と前記第２の外側面とを対向させて物品を収容する第２の収容室を形成して前記リングスリーブと前記持ち運び紐とが露出されることを特徴とするカップスリーブが提供される。
【図面の簡単な説明】
【０００５】
【図１】図１は、本考案の第１実施形態に係るカップスリーブを示す分解斜視図である。
【図２】図２は、本考案の第１実施形態に係るカップスリーブを使用するときに、第１のカバーシート及び第２のカバーシートが収容位置にあるときの状態を示す斜視図である。
【図３】図３は、本考案の第１実施形態に係るカップスリーブを使用するときに、第１のカバーシート及び第２のカバーシートが接続部を軸心として揺動されるときの状態を示す斜視図である。
【図４】図４は、本考案の第１実施形態に係るカップスリーブの第１のカバーシート及び第２のカバーシートが使用位置にあるときの使用状態の説明図である。
【図５】図５は、本考案の第１実施形態に係るカップスリーブのリングスリーブ内に飲料カップを嵌め込んだときの使用状態の説明図である。
【図６】図６は、本考案の第１実施形態に係るカップスリーブのストロースリーブに保護スリーブを挿入したときの使用状態の説明図である。
【図７】図７は、本考案の第１実施形態に係るカップスリーブの保護スリーブの一部がその切欠き部により引き起こされるときの使用状態の説明図である。
【図８】本考案の第１実施形態に係るカップスリーブの飲料カップをコースターに設置したときの使用状態の説明図である。
【図９】図９は、本考案の第２実施形態に係るカップスリーブの造型（１）を示す斜視図である。
【図１０】図１０は、本考案の第２実施形態に係るカップスリーブの造型（２）を示す斜視図である。
【考案を実施するための形態】
【０００６】
以下、本考案の実施形態について図１〜図１０に基づいて説明する。なお、これによって本考案が限定されるものではない。
【０００７】
（第１実施形態）
図１〜図８を参照する。図１〜図８に示すように、本考案の第１実施形態に係るカップスリーブは、第１のカバーシート１と、第２のカバーシート２と、リングスリーブ３と、リングスリーブ３と結合された２つの持ち運び紐３１と、から構成されてなる。
【０００８】
第１のカバーシート１及び第２のカバーシート２は、可撓性材料（例えば、不織布）からなるとともに、互いに対向配置されて対称な形状及び模様を有する。第１実施形態の第１のカバーシート１は、円盤状を呈するとともに、第１の外側面１１及び第１の内側面１２を有する。第２のカバーシート２は、円盤状を呈するとともに、第２の外側面２１及び第２の内側面２２を有する。第１の外側面１１及び第１の内側面１２には、サッカーの模様が印刷されている。リングスリーブ３は、第１の内側面１２上に結合される。リングスリーブ３は、弾性材料（例えば、伸縮テープ）により製造され、異なる寸法の飲料カップ６１を嵌め込み、第１のカバーシート１と第２のカバーシート２との間には、互いに接続された接続部５１が設けられる。第１のカバーシート１及び第２のカバーシート２は、接続部５１を軸心として揺動され、第１の内側面１２と第２の内側面２２とが対向して収容位置Ａ（図２を参照する）に位置すると、線ファスナー４により第１のカバーシート１と第２のカバーシート２との外周縁を結合させて第１の収容室１３を形成する。第１の収容室１３には、リングスリーブ３と第２のカバーシート２と２つの持ち運び紐３１とが収容可能である上、第１のカバーシート１及び第２のカバーシート２を折返して接続部５１を軸心として揺動させ、第１の外側面１１と第２の外側面２１とを対向させて使用位置Ｂ（図４を参照する）に位置させ、線ファスナー４により第１のカバーシート１及び第２のカバーシート２の外周縁を結合させると、物品（例えば、小銭）を収容する第２の収容室２３が形成される。第１のカバーシート１及び第２のカバーシート２が使用位置Ｂに位置するとき、リングスリーブ３と２つの持ち運び紐３１とが第２の収容室２３から露出され、ユーザが飲料カップ６１を嵌め込み、２つの持ち運び紐３１により飲料カップ６１を手で持つことができる（図５を参照する）。
【０００９】
好適には、図５〜図７に示すように、２つの持ち運び紐３１には、弾性材料（例えば、伸縮テープ）からなるストロースリーブ３２が縫着される。ストロースリーブ３２には、様々な寸法のストロー６２が嵌め込まれ、ストロースリーブ３２内には、ストロースリーブ３２の内部から外部へ延びた保護スリーブ３３が設置される。保護スリーブ３３は、柔軟性材料からなるとともに、閉鎖端３８を有する。保護スリーブ３３の一部の一側には、切欠き３４が形成される。ストロー６２をストロースリーブ３２に嵌め込むと、ユーザは、保護スリーブ３３の閉鎖端３８によりストロー６２を保護し、塵がストロー６２を介して飲料カップ６１内に落下することを防ぐとともに、ユーザが飲料カップ６１内の飲料を飲むとき、切欠き３４を介して保護スリーブ３３の一部をストロー６２から引き起こし、ユーザはストロー６２を用いて飲料カップ６１内の飲料を飲み、保護スリーブ３３を使用する必要がない場合、ユーザは保護スリーブ３３の材料特性により、ストロースリーブ３２内を閉塞し、保護スリーブ３３に塵又は細菌が付着することを防ぐ。
【００１０】
また、図８に示すように、リングスリーブ３には、第１のカバーシート１に対向する一側に、コースター３５が着脱可能に設けられてもよい。コースター３５は、飲料カップ６１を載置するために用い、飲料カップ６１上に凝結して滴り落ちる水滴を吸収し、卓面が濡れてしまうことを防ぐ。コースター３５は、リングスリーブ３上に磁力吸着方式又は粘着方式で設置してもよい。第１実施形態において、リングスリーブ３には、第１のカバーシート１に対向した一側に少なくとも１つの磁石３６が設けられる。コースター３５上には、少なくとも１つの磁石３７を設けてもよい。コースター３５は、異なる極が引き合う磁石の特性によりリングスリーブ３に吸着され、第１の内側面１２及び第２の内側面２２が収容位置Ａに位置し、コースター３５は、リングスリーブ３及び２つの持ち運び紐３１とともに第１の収容室１３内に収容することができるため、持ち運びしやすい。
【００１１】
上述した構造を有する第１の実施形態を実際に使用する場合、ユーザは、接続部５１を軸心として第１のカバーシート１及び第２のカバーシート２を使用位置Ｂまで揺動させ、線ファスナー４により第１のカバーシート１及び第２のカバーシート２の外周縁を結合させて第２の収容室２３を形成し、リングスリーブ３と２つの持ち運び紐３１とを第２の収容室２３から露出させてから飲料カップ６１をリングスリーブ３内に嵌め込むと、ユーザは２つの持ち運び紐３１を用いて飲料カップ６１をどんな場所へも持ち運ぶことができる。ユーザが飲み物を飲み終えたり、飲料カップ６１を持ち運ぶ必要がないときは、接続部５１を軸心として第１のカバーシート１及び第２のカバーシート２を収容位置Ａへ揺動させ、線ファスナー４により第１のカバーシート１及び第２のカバーシート２の外周縁を結合させて第１の収容室１３を形成し、リングスリーブ３、２つの持ち運び紐３１及びコースター３５を第１の収容室１３内に収容すると、本考案の体積を減らし、容易に携帯して如何なる場所へも持ち運ぶことができる。
【００１２】
上述したことから分かるように、本考案の長所は、線ファスナー４により第１のカバーシート１及び第２のカバーシート２の外周縁に沿って両者を結合させることができ、ユーザが本考案を収容する場合、ユーザは、接続部５１を軸心として第１のカバーシート１及び第２のカバーシート２を収容位置へ揺動させて第１の収容室１３を形成してリングスリーブ３及び２つの持ち運び紐３１を収容し、第１の収容室１３から露出されることを防ぐ。本考案を使用する場合、ユーザは、接続部５１を軸心として第１のカバーシート１及び第２のカバーシート２を使用位置まで揺動させて第２の収容室２３に収容し、ユーザは、飲料カップ６１をリングスリーブ３へ嵌め込んで２つのハンドルで飲み物を持つことができる上、小さな物品を第２の収容室２３内に収容して落下するなどして紛失することを防ぐこともできる。このように本考案は、再利用できて環境保護の要求を満たすことができるため、実用的である。
【符号の説明】
【００１３】
１  第１のカバーシート
２  第２のカバーシート
３  リングスリーブ
４  線ファスナー
１１  第１の外側面
１２  第１の内側面
１３  第１の収容室
２１  第２の外側面
２２  第２の内側面
２３  第２の収容室
３１  持ち運び紐
３２  ストロースリーブ
３３  保護スリーブ
３４  切欠き
３５  コースター
３６  磁石
３７  磁石
３８  閉鎖端
５１  接続部
６１  飲料カップ
６２  ストロー
【図１】
0003218759.tif 000003
【図２】
0003218759.tif 000004
【図３】
0003218759.tif 000005
【図４】
0003218759.tif 000006
【図５】
0003218759.tif 000007
【図６】
0003218759.tif 000008
【図７】
0003218759.tif 000009
【図８】
0003218759.tif 000010
【図９】
0003218759.tif 000011
【図１０】
0003218759.tif 000012
【手続補正書】
【提出日】平成30年9月14日(2018.9.14)
【手続補正１】
【補正対象書類名】実用新案登録請求の範囲
【補正対象項目名】全文
【補正方法】変更
【補正の内容】
【実用新案登録請求の範囲】
【請求項１】
第１のカバーシートと、第２のカバーシートと、リングスリーブと、前記リングスリーブと結合された少なくとも１つの持ち運び紐と、を備えたカップスリーブであって、
前記第１のカバーシート及び前記第２のカバーシートは、可撓性材料からなり、前記第１のカバーシートは、第１の外側面及び第１の内側面を有し、前記第２のカバーシートは、第２の外側面及び第２の内側面を有し、前記リングスリーブは、前記第１の内側面上に結合され、前記第１のカバーシートと前記第２のカバーシートとは線ファスナーにより結合され、前記第１の内側面と前記第２の内側面とを対向させて前記リングスリーブ及び前記持ち運び紐を収容する第１の収容室を形成するか、前記第１のカバーシート及び前記第２のカバーシートを折返し、前記第１の外側面と前記第２の外側面とを対向させて物品を収容する第２の収容室を形成して前記リングスリーブと前記持ち運び紐とが露出されることを特徴とするカップスリーブ。
【請求項２】
前記持ち運び紐には、ストロースリーブが設けられ、
前記リングスリーブ及び前記ストロースリーブは、弾性材料からなり、
前記ストロースリーブ内には、ストローに外嵌する保護スリーブが設けられることを特徴とする請求項１に記載のカップスリーブ。
【請求項３】
前記リングスリーブには、前記第１のカバーシートに対向する一側に、コースターが着脱可能に設けられ、
前記コースターは、前記リングスリーブ及び前記持ち運び紐と一緒に前記第１の収容室内に収容されるとともに、前記リングスリーブ上に磁力吸着方式又は粘着方式で設置されることを特徴とする請求項１に記載のカップスリーブ。